(57)【特許請求の範囲】
【請求項１】
外筐体のフロントパネル部の背面部に固着される基板ブラケットと、
上記基板ブラケットの下面部に位置決めされて支持され、少なくとも一のスイッチ素子が取り付けられたスイッチ基板と、
上記基板ブラケットに対し可撓変位可能な腕部を介して一体的に形成され、上記基板ブラケットに支持された上記スイッチ基板に配設されたスイッチ素子の操作部に対応された操作扞部を一体的に有する操作釦部とを備え、
上記操作釦部は、上記腕部を可撓変位させつつ移動操作されることにより、上記操作扞部により、上記スイッチ素子の操作部を操作してなる電子装置。
【発明の詳細な説明】
【０００１】
【産業上の利用分野】
本発明は、テレビジョン受像機等の如き電子装置に関する。
【０００２】
【従来の技術】
従来、テレビジョン装置の如き電子装置は、図９及び図１０に示すように、フロントパネル部２０１を有して構成された外筐体を備え、この外筐体内に電子回路部をなす回路基板を収納して構成されている。そして、このような電子装置においては、上記電子回路部の動作を制御するための、上記外筐体のフロントパネル部２０１を介して外方に臨んで設けられた複数の操作釦２１１を有するものがある。
【０００３】
上記複数の操作釦２１１は、略々平板状の釦プレート２０４に対して肉薄部を介して一体的に連設されており、該肉薄部が弾性変位することにより、該釦プレート２０４に対して移動可能となされている。上記釦プレート２０４は、上記フロントパネル部２０１に固着される基板ブラケット２０２と該フロントパネル部２０１とに挟持されるようにして支持され、該フロントパネル２０１に対して保持される。上記基板ブラケット２０２は、一対のネジ挿通孔２０６，２０６に挿通させた一対の止めネジ２０７，２０７が、上記フロントパネル部２０１の背面部に設けられた一対のネジボス２１７，２１７に螺入されることにより、該フロントパネル２０１に固着される。上記フロントパネル２０１には、上記各操作釦２１１に対応して、これら各操作釦２１１を外方側に臨ませるための挿通孔２１４，２１４が設けられている。すなわち、上記各操作釦２１１は、上記フロントパネル部２０１の前面部に対して出没移動可能に支持される。
【０００４】
上記基板ブラケット２０２内には、複数のスイッチ素子１０が取り付けられたスイッチ基板９が収納配設されている。この基板ブラケット２０２は、上記スイッチ基板９を後方側より覆い得る形状、すなわち、前方側が開放された筐体形状を有して形成されている。また、この基板ブラケット２０２の内方側部分には、上記スイッチ基板９を支持するための、このスイッチ基板９の後端縁側が挿入され得るスリット状の溝部を有する複数のリブ２０２ａが設けられている。
【０００５】
上記複数のスイッチ素子１０は、上記各操作釦２１１の後方側に、該各操作釦２１１に対応する位置となされて支持されている。上記各スイッチ素子１０は、上記電子回路部に接続されている。すなわち、これらスイッチ素子１０が押圧操作されると、上記電子回路部は、押圧操作されたスイッチ素子１０に応じた所定の動作を実行する。これらスイッチ素子１０は、上記操作釦２１１が前端部２１１ａを押圧されて上記フロントパネル部２０１の前面部に対し没入する方向に移動されると、この操作釦２１１の後端部により押圧操作されるようになされている。
【０００６】
なお、上記釦プレート２０４は、上記フロントパネル部２０１の背面部より突設された一対の位置決めピン２０１ａ，２０１ａを、一対の位置決め孔２０４ａ，２０４ａに挿通させることにより、該フロントパネル部２１０に対して位置決めされる。また、上記基板ブラケット２０２は、上記一対の位置決めピン２０１ａ，２０１ａを、一対の位置決め筒２０２ｂ，２０２ｂに挿通させることにより、上記フロントパネル部２１０に対して位置決めされる。
【０００７】
【発明が解決しようとする課題】
ところで、上述のような電子装置においては、上記操作釦２１１が上記釦プレート２０４を介して上記フロントパネル部２０１に取り付けられ、一方、上記スイッチ素子１０が取り付けられたスイッチ基板９が上記基板ブラケット２０２により支持されている。すなわち、この電子装置においては、上記操作釦２１１と上記スイッチ基板９とを支持するために、上記釦プレート２０４と上記基板ブラケット２０２という２個の部品を必要としているため、これら操作釦２１１及びスイッチ基板９の取り付け作業が煩雑なものとなっている。
【０００８】
また、この電子装置においては、上記操作釦２１１と上記スイッチ素子１０との位置関係は、上記スイッチ基板９、上記基板ブラケット２０２及び上記釦プレート２０４という複数の部材の寸法公差の積み重ねによって変動されるので、精確な位置決めが行われない虞れがある。
【０００９】
そこで、本発明は、上述の実情に鑑みて提案されるものであって、操作釦部及びスイッチ素子間の精確な位置決めが確実に行え、また、これら操作釦部及びスイッチ素子の取り付け作業の容易化が図られた電子装置を提供することを目的とする。
【００１０】
【課題を解決するための手段】
上述の課題を解決し上記目的を達成するため、本発明に係る電子装置は、外筐体のフロントパネル部の背面部に固着される基板ブラケットと、この基板ブラケットの下面部に位置決めされて支持され少なくとも一のスイッチ素子が取り付けられたスイッチ基板と、該基板ブラケットに対し可撓変位可能な腕部を介して一体的に形成されこの基板ブラケットに支持されたスイッチ基板に配設されたスイッチ素子の操作部に対応された操作扞部を一体的に有する操作釦部とを備え、上記操作釦部は、上記腕部を可撓変位させつつ移動操作されることにより、上記操作扞部により、上記スイッチ素子の操作部を操作してなるものである。
【００１１】
【作用】
本発明に係る電子装置においては、外筐体のフロントパネル部の背面部に固着される基板ブラケットは、スイッチ素子が取り付けられたスイッチ基板を位置決めして支持するので、このスイッチ基板を、この基板ブラケットに対し腕部を介して一体的に形成され操作扞部を一体的に有する操作釦部に対して、位置決めする。
【００１２】
【実施例】
以下、本発明の具体的な実施例を図面を参照しながら説明する。
この例は、本発明に係る電子装置を、テレビジョン受像機として構成した例である。このテレビジョン受像機は、図６に示すように、外筐体１４を有し、この外筐体１４内に、複数の回路基板及びこれら回路基板に取り付けられた種々の電子素子からなる電子回路部とＣＲＴ（陰極線管）２０とを収納して構成されている。
【００１３】
上記外筐体１４は、フロントパネル（前壁）部に開口部を有し、この開口部を介して、上記ＣＲＴ２０の画像表示部を前方側に臨ませている。この外筐体１４には、図１及び図６に示すように、この外筐体１４のフロントパネル部の下方側部分、すなわち、上記ＣＲＴ２０の画像表示部の下方に位置する部分に、操作パネル１３が取り付られる開口部を有している。この操作パネル１３は、図２に示すように、上記開口部を閉蓋して取り付られ、上記フロントパネル部の一部をなすものである。この操作パネル１３には、背面側、すなわち、上記外筐体１４の内方側より、横方向に配列された複数の操作釦部５が前方側外方に臨むための横長の透孔部１２が設けられている。
【００１４】
上記複数の操作釦部５は、図１、図２及び図４に示すように、上記外筐体１４内であって上記操作パネル１３の背面側に配設された基板ブラケット１に対し、それぞれ、可撓変位可能な腕部４を介して、一体的に連設されている。上記基板ブラケット１は、合成樹脂等の材料により、略々短冊形状の平板状に形成され、両端側部分が、左右一対の取り付け片部２，２となされている。これら取り付け片部２，２には、それぞれ、ネジ挿通筒３，３が一体的に形成されている。これらネジ挿通筒３，３は、軸方向を、上記取り付け片部２の主面部に沿い、かつ、上記基板ブラケット１の短辺方向、すなわち、前後方向となしている。
【００１５】
上記基板ブラケット１は、上記各取り付け片部２，２の各ネジ挿通筒３，３に前方側より図示しない固定ビスを挿通され、これら各固定ビスが上記外筐体１４内のシャーシの如き固定部材上のネジ孔に螺入されることにより、該外筐体１４内において固定されて配設される。このとき、この基板ブラケット１は、主面部を水平となし、また、長辺方向を左右方向となして、上記外筐体１４内に配設される。また、この基板ブラケット１は、上記複数の操作釦部５が連設された前縁部を、上記透孔部１２の後方側に位置させている。
【００１６】
上記各操作釦部５は、それぞれ上記基板ブラケット１の前縁部より、上記腕部４を介して、前方側に延設され、上記透孔部１２を介して、前端側部分を上記操作パネル１３の前面部よりも前方側に突出させている。上記各腕部４は、上記基板ブラケット１の主面部に沿って前方側に延設された基端側部分と、この基端側部分の前端部より下方に屈曲された先端側部分とを有して、該基板ブラケット１に対し一体的に形成されている。これら腕部４は、複数が、上記基板ブラケット１の前縁部に沿って、横方向に配列されて形成されている。上記複数の操作釦部５は、上記各腕部４の先端部、すなわち、この腕部４の先端側部分の下端部より前方側に向けて、この腕部４に一体的に延設されている。すなわち、これら操作釦部５は、上記基板ブラケット１の前方側に位置し、かつ、この基板ブラケット１よりも下方側に位置している。
【００１７】
上記各腕部４には、図３に示すように、基端側部分より先端部に亘って、スリット状開口部６が形成されている。すなわち、これら腕部４は、上記スリット状開口部６により、二股に分岐した形状となされている。これら腕部４は可撓変位可能であるので、上記各操作釦部５は、前端側部分を押圧されると、図２中矢印Ｂで示すように、上記透孔部１２内に没入される。
【００１８】
そして、上記各操作釦部５には、後方側に向けて、操作扞部７が、一体的に延設されている。この操作扞部７は、上記スリット状開口部６の下方に位置して形成されている。上記各操作釦部５が押圧操作されたときには、この操作釦部５に設けられた操作扞部７は、後方側に移動操作される。
【００１９】
上記基板ブラケット１の下面部には、図１、図２及び図５に示すように、スイッチ基板９が配設されている。このスイッチ基板９上には、上記各操作釦部５に対応される複数のスイッチ素子１０が取り付けられている。このスイッチ基板９は、このテレビジョン装置を構成する図示しない電子回路部に接続されている。上記各スイッチ素子１０は、上記電子回路部の動作を選択、制御するためのものである。
【００２０】
上記スイッチ基板９は、横長の短冊形状に形成されており、上面部に、上記複数のスイッチ素子１０が、横方向に配列されて取り付けられている。これらスイッチ素子１０は、いわゆる押し釦スイッチであって、押圧操作される被押圧子１１を有しており、この被押圧子１１を前方に向けて配設されている。上記スイッチ基板９は、左右両端側部分を、上記基板ブラケット１より下方側に突出形成された一対の鈎状の爪部２１，２２により掛止されて、該基板ブラケット１に保持されている。このスイッチ基板９は、上記基板ブラケット１の下面部に突出形成されたリブ１５に当接されることにより、上下方向の位置決めをなされている。また、このスイッチ基板９は、上記リブ１５に設けられた位置決め段差部１６に後縁部を当接させることにより、前後方向の位置決めをなされている。
【００２１】
上記基板ブラケット１が上記スイッチ基板９を保持した状態においては、上記各操作扞部７の後端部と、上記スイッチ素子１０の被押圧子１１とは、互いに相対向されている。したがって、上記操作釦部５が押圧操作されると、上記操作扞部７は、図２中矢印Ｂで示すように、上記被押圧子１１を押圧し、上記スイッチ素子１０を操作する。このとき、上記操作扞部７の後端部と上記被押圧子１１の前端部との間の距離は、上記操作釦部５が該基板ブラケット１に一体的に形成されているとともに、上記スイッチ基板９が該基板ブラケット１により位置決めされていることによって、正確に所定の距離となされる。したがって、この電子装置においては、上記操作釦部５の前端部を後方側に押圧することによって、上記操作扞部７を介し、上記スイッチ素子１０の被押圧子１１を常に良好に押圧操作することができる。
【００２２】
なお、上記基板ブラケット１は、上記各操作扞部７の両側側に位置するリブ８が形成され、上記各腕部４を支持する部分を補強されている。また、この基板ブラケットには、複数のジャック部１９，１９を有するコネクタ１８も取り付けられている。さらに、この基板ブラケット１は、後縁部分に、コード止め用の爪部１７，１７が突出形成されている。
【００２３】
この電子装置においては、上記基板ブラケット１をシャーシ等に固着する作業のみにより、上記各操作釦部５及び上記スイッチ基板９を位置決めして支持することができ、組立てが容易化されている。
【００２４】
また、この電子装置においては、上記スイッチ基板９は、上記基板ブラケット１の下面部に保持されていることにより、上面側を該基板ブラケット１により覆われている。そのため、上記ＣＲＴ２０等のこの基板ブラケット１の上方側に配設されている部品において結露が生じこの露が滴下する場合においても、上記スイッチ基板９は、該露により濡れることがない。
【００２５】
上記基板ブラケット１は、上記各腕部４、上記各操作釦部５及び上記各操作扞部７とともに、射出成形により一体的に形成することができる。すなわち、この基板ブラケット１を成形するための金型としては、図７及び図８に示すように、コア（下型）１０１、キャビティ（上型）１０２及びスライダ１０３を有して構成されたものを用いることができる。
【００２６】
上記コア１０１は、上記各操作釦部５の基端側部分の下面部及び側面部と、上記操作扞部７の両側面部、下面部及び後端面部と、上記基板ブラケット１の上記リブ１５を含む下面側部分とを形成する。
【００２７】
上記キャビティ１０２は、上記各操作釦部５の上面部と、上記各操作扞部７の上面部と、上記スリット状開口部６の内周縁部と、上記基板ブラケット１の上面部及び後面部とを形成する。このキャビティ１０２は、成形後は、図７中矢印Ｃで示すように、上記コア１０１に対して上方側に離型される。このキャビティ１０２のうち、上記操作扞部７の上面部及び上記スリット状開口部６の内周縁部を形成する部分は、図７におけるＡ−Ａ断面である図８に示すように、下方側に突出形成された押し切り部１０７となされている。この押し切り部１０７は、上記操作扞部７の両側面部及び下面部を形成するための上記コア１０１の空隙部１０５に至る凹部１０６に嵌入される。これらコア１０１とキャビティ１０２との間には、上記基板ブラケット１を形成するための空隙部１０４が形成されている。
【００２８】
上記スライダ１０３は、上記各操作釦部５の下面部、両側面部及び前端面部を形成する。このスライダ１０３は、成形後は、図７中矢印Ｄで示すように、上記コア１０１に対して前方側に離型される。なお、上記各操作釦部５の前端面部は、上記操作パネル１３の前方側外方に臨む部分であり、いわゆる体裁面といわれる部分である。この体裁面は、上記スライダ１０３により、いわゆるシボ面（艶消し面）や滑り止め用の多数の溝を形成した面として形成される。
【００３６】
【発明の効果】
上述のように、本発明に係る電子装置においては、外筐体のフロントパネル部の背面部に固着される基板ブラケットは、下面部にスイッチ素子が取り付けられたスイッチ基板を位置決めして支持する。したがって、この基板ブラケットは、上記スイッチ基板を、この基板ブラケットに対し腕部を介して一体的に形成され操作扞部を一体的に有する操作釦部に対して、位置決めすることができる。
【００３７】
また、この電子装置においては、上記基板ブラケットの上記フロントパネル部への取り付けにより、上記スイッチ基板の該フロントパネル部への取り付け及び上記操作釦部の該フロントパネル部への取り付けを完了することができる。
【００３８】
さらに、本発明に係る電子装置においては、フロントパネル部の形状や構成が異なる異機種の電子装置として構成する場合においても、上記スイッチ基板及び上記基板ブラケットは、該異機種の電子装置間に亘って共通して使用することができる。
【００３９】
すなわち、本発明は、操作釦部及びスイッチ素子間の正確な位置決めが確実に行え、また、これら操作釦部及びスイッチ素子の取り付け作業の容易化が図られた電子装置を提供することができる。
【図面の簡単な説明】
【図１】本発明に係る電子装置の要部の構成を示す要部分解斜視図である。
【図２】上記電子装置の要部の構成を示す要部縦断面図である。
【図３】上記電子装置の要部の構成を示す要部拡大斜視図である。
【図４】上記電子装置を構成する基板ブラケットの形状を示す底面図である。
【図５】上記電子装置において上記基板ブラケットにスイッチ基板が取り付けられた状態を示す底面図である。
【図６】上記電子装置の外観構成を示す正面図である。
【図７】上記基板ブラケットを射出成形により形成するための金型の構成を示す縦断面図である。
【図８】上記金型の上記図７中の直線Ａ−Ａにおける断面形状を示す縦断面図である。
【図９】従来の電子装置の構成を示す分解斜視図である。
【図１０】図９に示した従来の電子装置の構成を示す要部縦断面図である。
【符号の説明】
１  基板ブラケット、  ４  腕部、  ５  操作釦部、  ７  操作扞部、  ９  スイッチ基板、  １０  スイッチ素子、  １１  操作部、  １３  フロントパネル部
【図１】
0003567478.tif 000002
【図２】
0003567478.tif 000003
【図３】
0003567478.tif 000004
【図４】
0003567478.tif 000005
【図５】
0003567478.tif 000006
【図６】
0003567478.tif 000007
【図７】
0003567478.tif 000008
【図８】
0003567478.tif 000009
【図９】
0003567478.tif 000010
【図１０】
0003567478.tif 000011